(57)【要約】【課題】  種々の方向からの日差しが子供の顔に当たるのを防ぐことのできる子守帯を提供する。【解決手段】  子守帯は、子供保持部材１０と、装着ベルト２０とを備える。子供保持部材１０には、子供の頭部を覆う幌部材３０が連結されている。幌部材３０は、中央部分３１と、この中央部分３１の両側縁から下方に垂れ下がった１対の側面フラップ３２とを有する。【選択図】      図４
2006271859.tif 000002
【特許請求の範囲】
【請求項１】
子供を保持するための子供保持部材と、使用者が装着する装着ベルトとを備えた子守帯において、
前記装着ベルトは、肩ベルトを含み、
前記子供保持部材には、子供の頭部を覆うための幌部材が連結されており、
前記幌部材は、その基端が前記子供保持部材に連結され、その先端に前記肩ベルトに取外し可能に接続される接続部を有する中央部分と、前記中央部分の両側縁から下方に垂れ下がった１対の側面フラップとを有することを特徴とする、子守帯。
【請求項２】
前記幌部材の中央部分は、上方に凸のアーチ形状をしている、請求項１に記載の子守帯。
【請求項３】
前記幌部材の中央部分の両側縁には、補強リブが設けられている、請求項１または２に記載の子守帯。
【請求項４】
前記子供保持部材は、折畳んだ状態の前記幌部材を収納しておくための収納空間を有している、請求項１〜３のいずれかに記載の子守帯。
【請求項５】
前記幌部材は、光反射性素材で形成されている、請求項１〜４のいずれかに記載の子守帯。
【発明の詳細な説明】
【技術分野】
【０００１】
この発明は、子供を抱っこしたり、背負ったりするための子守帯に関するものである。
【背景技術】
【０００２】
子守帯は、子供を保持するための子供保持部材と、使用者が装着する装着ベルトとを備える。子守帯によって子供を抱っこしたり、背負ったりして戸外に出るとき、紫外線を含んだ強い直射日光が子供の顔に当たるのを避けたい。
【０００３】
特開２００４−２４８８７９号公報（特許文献１）は、日除けや風塵除けとして機能するつば部を設けたベビーキャリアを開示している。具体的には、ベビーキャリアは、幼児の背面側にあてがう本体部と、この本体部の頭部側周縁から立ち上がるガード部と、基端縁がガード部の上端縁に取付けられて起立可能なつば部とを備えている。
【特許文献１】特開２００４−２４８８７９号公報
【発明の開示】
【発明が解決しようとする課題】
【０００４】
特開２００４−２４８８７９号公報に開示されたつば部は、子供の頭頂部のみを覆う大きさのものであり、種々の方向から子供の顔に向かって差し込んでくる日差しを十分に防ぐことができない。特に子供の顔の側方から差し込んでくる日差しを十分に防ぐことができない。
【０００５】
この発明の目的は、種々の方向からの日差しが子供の顔に当たるのを防ぐことのできる子守帯を提供することである。
【課題を解決するための手段】
【０００６】
この発明に従った子守帯は、子供を保持するための子供保持部材と、使用者が装着する装着ベルトとを備えるものであって、以下のことを特徴とする。装着ベルトは、肩ベルトを含む。子供保持部材には、子供の頭部を覆うための幌部材が連結されている。幌部材は、中央部分と、この中央部分の両側縁から下方に垂れ下がった１対の側面フラップとを備える。幌部材の中央部分は、その基端が子供保持部材に連結され、その先端に肩ベルトに取外し可能に接続される接続部を有する。
【０００７】
上記構成の本発明によれば、幌部材は、子供保持部材から使用者の肩ベルトにまで延在しているので、大きな面積で子供の頭部を覆うことができる。さらに、幌部材の中央部分の両側縁から垂れ下がった１対の側面フラップは、側方からの光の入射を防ぐ。
【０００８】
さらに、上記構成の幌部材は、子供の頭または顔の周囲を包囲するものであるので、子供の顔の周囲の環境を適度な明るさに調節できる。例えば、子守帯によって保持された子供が眠っているときには、幌部材で顔の周囲の明るさを適度に暗くすることができる。このような明るさの調整は、子供の頭部の上方に広い面積で延在する中央部分と、中央部分の両側縁から下方に垂れ下がった１対の側面フラップとによって顔の周囲の空間を包囲することによって実現可能となるものである。
【０００９】
幌部材の側面フラップは、単に垂れ下がっているだけなので、簡単にめくり上げて幌部材の中央部分上に置いておくことができる。また、幌部材を使用しているときに親が子供の顔を覗き込みたいときには、単に側面フラップを動かすだけでよい。
【００１０】
好ましくは、幌部材の中央部分は、上方に凸のアーチ形状をしている。このように上方に凸のアーチ形状の中央部分であれば、子供の頭部の空間にゆとりが生じるので、子供に窮屈な感覚を与えない。好ましくは、幌部材の中央部分の形状を適正に維持するために、幌部材の中央部分の両側縁には、補強リブが設けられている。
【００１１】
好ましくは、子供保持部材は、折畳んだ状態の幌部材を収納しておくための収納空間を有している。このようにすれば、必要に応じて幌部材を取り出して使用することができる。
【００１２】
好ましくは、幌部材は、光反射性素材で形成されている。なお、幌部材として、２重の幌布を備えるようにしてもよい。この場合、例えば外側の幌布を光反射性素材で形成し、内側の幌布を目の細かいメッシュ地で形成しておく。日差しが強くないときには、外側の幌布を基端部側に寄せて内側のメッシュ地の幌布を露出させる。内側のメッシュ地の幌布は、子供の顔の周囲の明るさを適度なものにする作用を有する。
【発明を実施するための最良の形態】
【００１３】
図１は、幌部材を使用している状態を示す斜視図である。図２は、幌部材を折畳んで収納している状態を図解的に示す図であり、図３は、幌部材を使用している状態を図解的に示す図である。図４は、展開状態の幌部材を図解的に示す斜視図である。
【００１４】
図示するように、子守帯１は、子供を保持するための子供保持部材１０と、母親等の使用者が装着する装着ベルト２０とを備える。子供保持部材１０と装着ベルト２０とは、複数の箇所で連結される。
【００１５】
図示する実施形態では、装着ベルト２０は、１対の肩ベルト２１を含む。図１は、子供を前で抱っこしている状態を示しているが、子供を背中側に背負うようにすることも可能である。
【００１６】
子供保持部材１０は、子供の例えば背中側にあてられる背当て部１１を含む。
【００１７】
幌部材３０は、図２に示すように、折畳んだ状態で背当て部１１の中に収納される。背当て部１１には開口１２が設けられており、この開口１２から幌部材３０を外に取り出す。なお、開口１２を閉鎖し得るファスナを設けておいてもよい。
【００１８】
図４から明らかなように、幌部材３０は、中央部分３１と、この中央部分３１の両側縁から下方に垂れ下がった１対の側面フラップ３２とを備える。幌部材３０の中央部分３１は、その基端が子供保持部材１０の開口１２の内側に接続されている。また、幌部材３０の中央部分３１の先端には、肩ベルト２１に取外し可能に接続される接続部３５が設けられている。接続部３５の下面には面ファスナ３４が取付けられ、それに対応して、肩ベルト２１にも面ファスナ２２が取付けられている。両面ファスナ３４、３５を接合すれば、幌部材３０の中央部分３１は、子供の頭部の上部空間を広い面積で覆うようになる。
【００１９】
幌部材３０の中央部分３１と肩ベルト２１とを取外し可能に接続する手段としては、面ファスナに限られず、止めボタンや止め紐などを用いることも可能である。
【００２０】
子供の頭部の空間にゆとりを持たせるために、幌部材３０の中央部分３１は、上方に凸のアーチ形状を有している。このような中央部分３１の形状を適正に保つようにするために、中央部分３１の両側縁には、補強リブ３３が設けられている。
【００２１】
１対の側面フラップ３２は、幌部材３０の中央部分３１の両側縁から下方に垂れ下がっているので、側方からの光の入射を遮ることができる。また、側面フラップ３２は単に下方に垂れ下がっているだけなので、簡単に動かすことができる。例えば、母親が子供の顔を覗き込みたいときには、側面フラップ３２を動かして子供の顔の側面の空間を露出させる。また、光が一方の側面から入射するような場合には、この一方の側面に位置する側面フラップ３２だけを下方に垂らし、風通しを良くするために反対側の側面に位置する側面フラップ３２をめくり上げて中央部分３１の上に置くようにしてもよい。
【００２２】
なお、側面フラップ３２の先端と肩ベルト２１とを取外し可能に接続してもよい。
【００２３】
幌部材３０の役割は、光の入射を遮るということのみならず、子供の顔の周囲の明るさを適度に調節するという機能も併せ持つ。このような明るさ調節機能は、子供の頭部の上方に広い面積で延在する中央部分３１と、中央部分３１の両側縁から下方に垂れ下がった１対の側面フラップ３２とによって子供の顔の周囲の空間を包囲することによって実現可能となるものである。
【００２４】
幌部材３０を形成する素材として、例えば光反射性素材が使用される。適度な通気性を維持するために、目の細かいメッシュ地で幌部材３０を形成してもよい。
【００２５】
図示していないが、幌部材３０を、２重に重なった内外の幌布で構成するようにしてもよい。この場合、例えば、外側の幌布を光反射性素材で形成し、内側の幌布を目の細かいメッシュ地で形成する。外側の幌布は、内側の幌布上で自由に畳めるようにしておくのが好ましい。日差しが強くないときには、外側の幌布を基端部側に寄せて内側の幌布を露出させる。
【００２６】
上述した実施形態では、幌部材３０を使用していないときには、幌部材３０を折畳んで子供保持部材１０の背当て部１１内に収納するようにしていたが、他の実施形態として、使用していない幌部材を背当て部１１の背面に露出させておくようにしてもよい。
【００２７】
また、図示した実施形態では、子供を母親の前で抱っこしている状態を示したが、子供を背中側で背負うような子守帯に対してもこの発明を適用することが可能である。
【００２８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２９】
この発明は、子供に対して快適な使用環境を与える子守帯として有利に利用され得る。
【図面の簡単な説明】
【００３０】
【図１】この発明の一実施形態に係る子守帯の使用状態を示す斜視図である。
【図２】幌部材を折畳んで収納している状態を図解的に示す図である。
【図３】幌部材を展開して使用している状態を図解的に示す図である。
【図４】展開状態の幌部材を示す斜視図である。
【符号の説明】
【００３１】
１  子守帯、１０  子供保持部材、１１  背当て部、１２  開口、２０  装着ベルト、２１  肩ベルト、２２  面ファスナ、３０  幌部材、３１  中央部分、３２  側面フラップ、３３  補強リブ、３４  面ファスナ、３５  接続部。
【図１】
2006271859.tif 000003
【図２】
2006271859.tif 000004
【図３】
2006271859.tif 000005
【図４】
2006271859.tif 000006